(57)【要約】【課題】操作具における操作軸の軸長方向長さを短くすることができ、操作具の全体を小形にできるようにする。【解決手段】回転操作が可能な操作軸５と連動し、その周面の一部に歯部６１及び該歯部６１と周方向に離間する第１及び第２のカム６２，６３を有する駆動歯車６を備えており、モータを正／逆に発停するスイッチ７ａ，７ｂは各カム６２，６３に係合しており、各可変抵抗器９ａ，９ｂは前記歯部６１に噛合する従動歯車８，８を介して回転する回転部を有しており、各スイッチ７ａ，７ｂ及び各従動歯車８，８は前記駆動歯車６の回りに周方向に離間して配置することにより、操作具における操作軸の軸長方向長さを短くした。【選択図】　　　　図４
2004043062.tif 000002
【特許請求の範囲】
【請求項１】
回転操作が可能な操作軸と、モータの駆動回路に接続され、前記操作軸の回転によって前記モータを正／逆に発停するスイッチと、前記駆動回路に接続され、前記操作軸の回転によって抵抗値が変わる可変抵抗器とを備えた操作具において、前記操作軸と連動し、その周面の一部に歯部及び該歯部と周方向に離間するカムを有する駆動歯車を備えており、前記スイッチは前記カムに係合しており、前記可変抵抗器は前記歯部に噛合する従動歯車を介して回転する回転部を有することを特徴とする操作具。
【請求項２】
回転操作が可能な操作軸と、モータの駆動回路に接続され、前記操作軸の回転によって前記モータを正／逆に発停する第１及び第２のスイッチと、前記駆動回路に接続され、前記操作軸の回転によって抵抗値が変わる第１及び第２の可変抵抗器とを備えた操作具において、前記操作軸と連動し、その周面の一部に歯部及び該歯部と周方向に離間する第１及び第２のカムを有する駆動歯車を備えており、各スイッチは各カムに係合しており、各可変抵抗器は前記歯部に噛合する従動歯車を介して回転する回転部を有しており、各スイッチ及び各従動歯車は前記駆動歯車の回りに周方向に離間して配置してあることを特徴とする操作具。
【請求項３】
回転操作が可能な操作軸と、モータの駆動回路に接続され、前記操作軸の回転によって前記モータを正／逆に発停する第１及び第２のスイッチとを備えた操作具において、前記操作軸に連動し、その周面に周方向へ離間して第１及び第２のスイッチに係合する第１及び第２のカムと、第１及び第２のカムに対して周方向へ離間する第３のカムとを有する回転部材を備えており、前記第３のカムと回転部材の周方向へ離間し、第３のカムとの係合によりオンする第３のスイッチを備えることを特徴とする操作具。
【請求項４】
請求項１乃至３の何れかに記載の操作具と、索状体を長手方向に移動させる回転体及び前記操作具を構成するスイッチによって発停され、前記回転体を正回転／逆回転させるモータを有する巻上器本体と、該巻上器本体から垂下し、前記操作具を支持する垂下部材とを備えていることを特徴とする電動巻上機。
【発明の詳細な説明】
【０００１】
【発明の属する技術分野】
本発明はモータの発停及び正逆回転の速度制御を操作する操作具及び電動巻上機に関する。
【０００２】
【従来の技術】
電動巻上機は、索状体を長手方向に移動させるロードシーブ等の回転体及び該回転体を正逆回転させるモータ等を有する巻上機本体と、該巻上器本体から垂下された前記索状体等の垂下部材と、該垂下部材の下端に装着される操作具と、該操作具による操作指令を前記モータの駆動回路に与えるリード線とを備えている。
【０００３】
図１１は従来の操作具の構成を示す断面図である。
この操作具は特開平８−２２５２９７号公報に記載されているように、その下端にフック１００を有する前記索状体１０１の前記フック１００近傍に結合されるハウジング１０２と、該ハウジング１０２に回転自在に支持され、ハウジング１０２の外側に操作部を有する操作軸１０３と、該操作軸１０３のハウジング１０２内側で軸長方向に離間した位置に固定されたロータリスイッチ１０４及び駆動歯車１０５と、該駆動歯車１０５及びロータリスイッチ１０４の間に配置され、駆動歯車１０５に噛合する従動歯車１０６を介して回転する回転部を有する可変抵抗器とを備えており、ロータリスイッチ１０４及び可変抵抗器がリード線を介して前記モータの駆動回路に接続されている。
【０００４】
そして、電動巻上機において、索状体１０１のフック１００に引掛けられた荷物を荷揚げする場合、操作軸１０３の操作部を握って操作軸１０３を一方向へ回転操作することにより、ロータリスイッチ１０４の正回転側がオンし、駆動回路を介してモータが起動され、該モータに連動するロードシーブによって前記索状体１０１が巻上方向へ移動する。また、前記荷物を荷降しする場合、前記操作軸１０３を他方向へ回転操作することにより、ロータリスイッチ１０４の逆回転側がオンし、駆動回路を介してモータが起動され、該モータに連動するロードシーブによって前記索状体１０１が巻下方向へ移動する。
【０００５】
【発明が解決しようとする課題】
ところが、従来の操作具にあっては、操作軸１０３の軸長方向に離間した位置にロータリスイッチ１０４及び駆動歯車１０５を設け、このロータリスイッチ１０４及び駆動歯車１０５の間に可変抵抗器が配置されているため、操作具の全体が操作軸１０３の軸長方向へ長くなり、操作具の全体が大形となり、改善策が要望されていた。
【０００６】
本発明は斯かる事情に鑑みてなされたものであり、操作軸と連動し、その周面の一部に歯部及び該歯部と周方向に離間するカムを有する駆動歯車を備え、スイッチは前記カムに係合し、可変抵抗器は前記歯部に噛合する従動歯車を介して回転する回転部を有する構成とすることにより、操作具における操作軸の軸長方向長さを短くすることができ、操作具の全体を小形にできる操作具及び電動巻上機を提供する点にある。
【０００７】
また、操作軸と連動し、その周面の一部に歯部及び該歯部と周方向に離間する２つのカムを有する駆動歯車を備え、各スイッチは各カムに係合し、各可変抵抗器は前記歯部に噛合する従動歯車を介して回転する回転部を有し、各スイッチ及び各従動歯車は前記駆動歯車の回りに周方向に離間して配置してある構成とすることにより、操作具における操作軸の軸長方向長さをより一層短くすることができる操作具及び電動巻上機を提供する点にある。
【０００８】
また、操作軸と連動し、その周面に周方向へ離間して第１及び第２のスイッチに係合する第１及び第２のカムと、第１及び第２のカムに対して周方向へ離間する第３のカムとを有する回転部材を備え、第３のカムと回転部材の周方向へ離間し、第３のカムとの係合によりオンする第３のスイッチを備える構成とすることにより、第１又は第２のスイッチのオンによって起動したモータの回転速度を、第３のスイッチのオンによって制御することが可能な操作具及び電動巻上機を提供する点にある。
【０００９】
【課題を解決するための手段】
第１発明に係る操作具は、回転操作が可能な操作軸と、モータの駆動回路に接続され、前記操作軸の回転によって前記モータを正／逆に発停するスイッチと、前記駆動回路に接続され、前記操作軸の回転によって抵抗値が変わる可変抵抗器とを備えた操作具において、前記操作軸と連動し、その周面の一部に歯部及び該歯部と周方向に離間するカムを有する駆動歯車を備えており、前記スイッチは前記カムに係合しており、前記可変抵抗器は前記歯部に噛合する従動歯車を介して回転する回転部を有することを特徴とする。
【００１０】
第４発明に係る電動巻上機は、請求項１乃至３の何れかに記載の操作具と、索状体を長手方向に移動させる回転体及び前記操作具を構成するスイッチによって発停され、前記回転体を正回転／逆回転させるモータを有する巻上器本体と、該巻上器本体から垂下し、前記操作具を支持する垂下部材とを備えていることを特徴とする。
【００１１】
第１発明及び第４発明にあっては、操作軸を回転操作することにより、駆動歯車が正回転／逆回転し、スイッチをオン／オフさせ、モータを起動／停止できるとともに、可変抵抗器の抵抗力を変え、モータの回転速度を制御することができる。しかも、駆動歯車は従動歯車を介して可変抵抗器を動作させるための歯部と、スイッチを動作させるためのカムとを周面に有するため、操作軸の軸長方向長さを短くすることができ、操作具の全体を小形にできる。
【００１２】
第２発明に係る操作具は、回転操作が可能な操作軸と、モータの駆動回路に接続され、前記操作軸の回転によって前記モータを正／逆に発停する第１及び第２のスイッチと、前記駆動回路に接続され、前記操作軸の回転によって抵抗値が変わる第１及び第２の可変抵抗器とを備えた操作具において、前記操作軸と連動し、その周面の一部に歯部及び該歯部と周方向に離間する第１及び第２のカムを有する駆動歯車を備えており、各スイッチは各カムに係合しており、各可変抵抗器は前記歯部に噛合する従動歯車を介して回転する回転部を有しており、各スイッチ及び各従動歯車は前記駆動歯車の回りに周方向に離間して配置してあることを特徴とする。
【００１３】
第２発明にあっては、操作軸を一方向へ回転操作することにより、駆動歯車が正回転し、一方のスイッチをオンさせ、モータを正回転方向へ起動できるとともに、可変抵抗器の抵抗力を変え、モータの正回転速度を制御することができる。また、操作軸を他方向へ回転操作することにより、駆動歯車が逆回転し、他方のスイッチをオンさせ、モータを逆回転方向へ起動できるとともに、可変抵抗器の抵抗力を変え、モータの逆回転速度を制御することができる。しかも、駆動歯車は状と歯車を介して可変抵抗器を動作させるための歯部と、スイッチを動作させるためのカムとを周面に有するため、操作軸の軸長方向長さをより一層短くすることができ、操作具の全体を小形にできる。
【００１４】
第３発明に係る操作具は、回転操作が可能な操作軸と、モータの駆動回路に接続され、前記操作軸の回転によって前記モータを正／逆に発停する第１及び第２のスイッチとを備えた操作具において、前記操作軸に連動し、その周面に周方向へ離間して第１及び第２のスイッチに係合する第１及び第２のカムと、第１及び第２のカムに対して周方向へ離間する第３のカムとを有する回転部材を備えており、前記第３のカムと回転部材の周方向へ離間し、第３のカムとの係合によりオンする第３のスイッチを備えることを特徴とする。
【００１５】
第３発明にあっては、操作軸を一方向へ回転操作することにより、駆動歯車が正回転し、一方のスイッチをオンさせ、モータを正回転方向へ起動することができる。また、操作軸を他方向へ回転操作することにより、駆動歯車が逆回転し、他方のスイッチをオンさせ、モータを逆回転方向へ起動することができる。また、第３のスイッチは第１又は第２のスイッチがオンした後でオンさせることができるため、第３のスイッチをモータの速度制御回路に接続することにより、モータの正回転速度及び逆回転速度の少なくとも一方を制御することができる。
【００１６】
【発明の実施の形態】
以下本発明をその実施の形態を示す図面に基づいて詳述する。
実施の形態１
図１は本発明に係る電動巻上機の構成を示す正面図、図２は操作具部分の構成を示す断面図、図３は操作具部分の構成を示す一部を省略した側面図、図４は操作具の実施の形態１の構成を示す一部を省略した側面図、図５は一部を切欠いた側面図、図６は一部を省略した平面図、図７は一部を省略した正面図である。
【００１７】
この電動巻上機は、一端にフック１ａを有するロードチェン等の索状体１を長手方向に移動させる回転体としてのロードシーブ２１と、該ロードシーブ２１を回転自在に支持するケーシング２２と、該ケーシング２２に結合され、減速歯車機構を介してロードシーブ２１を正回転／逆回転させるモータ２３を有する巻上機本体２、及び前記索状体１のフック１ａの近傍に装着された操作具Ａとを備える。索状体１の他端側はケーシング２２に吊下げられたバケット２４に収納されるようになっている。尚、索状体１は巻上機本体２から垂下し、前記操作具Ａを支持する垂下部材を構成している。
モータ２３は電圧制御が可能な駆動回路に接続される直流モータ、又は、インバータ制御が可能な駆動回路に接続される交流モータ等が用いられる。
【００１８】
操作具Ａはその上部が前記索状体１に結合され、その下部に前記フック１ａが結合されたハウジング３と、該ハウジング３内に固定された支持体４と、ハウジング３の一側壁を貫通し、前記支持体４に回転自在に支持された操作軸５と、該操作軸５に嵌合固定され、その周面の一部に歯部６１及び該歯部６１と周方向に離間する第１及び第２のカム６２，６３を有する駆動歯車６と、各カム６２，６３に係合する可動部７１，７１を有する第１及び第２のスイッチ７ａ，７ｂと、前記歯部６１に噛合する２つの従動歯車８，８を介して回転する回転部９１，９１を有する第１及び第２の可変抵抗器９ａ，９ｂとを備えている。
ハウジング３は断面凹形の２つの半体３ａ，３ｂを４本のボルト１０で結合してなり、一側壁には前記操作軸５が貫通する貫通孔３１が穿設されている。
【００１９】
支持体４は、一方の半体３ａの内側に突設された４つの受座に４本のボルト１１で固定される第１支持板４１と、該第１支持板４１に２本の連結軸４２及び該連結軸４２に嵌合された筒体４３を介して連結された第２支持板４４とを備えている。第１支持板４１及び第２支持板４４の中心部には軸孔が穿設されており、該軸孔に前記操作軸５の途中が回転自在に支持されている。第１支持板４１の内側（第２支持板４４側）には第１及び第２のスイッチ７ａ，７ｂが支持されており、第２支持板４４の外側（第１支持板４１と反対側）には第１及び第２の可変抵抗器９ａ，９ｂが支持されている。また、第１支持板４１には第１及び第２のスイッチ７ａ，７ｂの間で第２支持板４４を貫通する中立軸１２の一端部が固定されている。
【００２０】
操作軸５はハウジング３の外側となる一端側に操作部を有し、ハウジング３内で第１支持板４１及び第２支持板４２の間となる中央部に駆動歯車６が嵌合固定されている。操作軸５の他端側には前記中立軸１２が挿入され、中立軸１２との係合によって操作軸５の左右方向への最大操作量（最大操作角）を規制する長孔形状の規制孔１３ａと、操作軸５の回転方向へ離間した位置に２つのばね受部１３ｂ，１３ｃとを有する規制板１３が嵌合固定されている。また、操作軸５の他端側には巻回部１４ａと該巻回部１４ａの両端に連なる２つの非巻回部１４ｂ，１４ｃとを有する捩じりばね１４の前記巻回部１４ａが支持されている。
【００２１】
規制板１３は、前記操作軸５に挿嵌される嵌合孔（図示せず）を有しており、この嵌合孔に対して偏倚した位置に前記規制孔１３ａが穿設されており、さらに、この規制孔１３ａに対して前記嵌合孔と反対側に前記ばね受部１３ｂ，１３ｃが設けられている。このばね受部１３ｂ，１３ｃは規制孔１３ａに連なる板部が板厚方向へ屈曲された屈曲片の両側縁からなり、屈曲片の端には前記非巻回部１４ｂ，１４ｃとの係合が外れるのを防ぐためのずれ防止凸部が前記両側縁側に突設されている。
【００２２】
捩じりばね１４は非巻回部１４ｂ，１４ｃが規制板１３のばね受部１３ｂ，１３ｃに当接しており、非巻回部１４ｂ，１４ｃの間に前記中立軸１２が配置され、捩じりばね１４及び規制板１３を介して操作軸５を中立位置（図４の位置）に復帰させるようにしてある。
【００２３】
駆動歯車６は周面の一部に複数の歯を有する歯部６１及び該歯部６１と周方向に離間する第１及び第２のカム６２，６３を有する１枚の板からなる。歯部６１及びカム６２，６３は操作軸５の左右方向への最大操作量に対応した周長としてある。また、第１及び第２のカム６２，６３は駆動歯車６の回転中心からの寸法が小さい第１円弧面６０ａの両端と、前記回転中心からの寸法が大きい２つの第２円弧面６０ｂの一端との間に設けられている。そして、操作軸５が中立位置にあるとき、第１のスイッチ７ａの可動部７１が第１のカム６２に係合し、第２のスイッチ７ｂの可動部７１が第２のカム６３に係合しており、操作軸５を左右の一方へ回転操作したとき、回転方向と反対側に位置するスイッチ７ａ又は７ｂの可動部７１がカム６２又は６３を乗り越え、第２円弧面６０ｂに係合するようにしてある。
【００２４】
第１及び第２のスイッチ７ａ，７ｂはリード線１５を介して前記モータ２３の駆動回路に接続され、操作軸５の操作でオン、オフし、モータ２３を発停するものであり、前記可動部７１を有するリミットスイッチからなる。このスイッチ７ａ，７ｂは操作軸５の最大操作量に見合う距離だけ駆動歯車６の周方向に離間して配置され、第１のスイッチ７ａの可動部７１が第１のカム６２に係合し、第２のスイッチ７ｂの可動部７１が第２のカム６３に係合している。
【００２５】
第１及び第２の可変抵抗器９ａ，９ｂはリード線１５を介して前記モータ２３の駆動回路に接続され、操作軸５の回転操作で抵抗値が増減し、前記駆動回路からモータ２３へ供給される電圧値を制御し、モータ２３の回転速度を制御するものであり、回転形のポテンショメータからなる。この可変抵抗器９ａ，９ｂは、抵抗部材及び該抵抗部材に接触する摺動子を有する抵抗器本体９２と、前記摺動子に連動する指針を動作させる回転部（回転軸）９１とを有しており、この回転部９１に、前記歯部６１に噛合して増速回転する従動歯車８，８が嵌合固定され、抵抗器本体９２の静止側が第２支持板４４に取付けられている。この際、可変抵抗器９ａ，９ｂは表示目盛の零位置で停止する指針が表示目盛のほぼ中央となるように回転部９１を回し、この状態で従動歯車８，８を駆動歯車６の歯部６１に噛合させ、操作軸５が中立となる位置で指針が表示目盛のほぼ中央となるようにしてある。
【００２６】
以上のように構成された電動巻上機の操作具Ａは、支持体４と、該支持体４に取付けられた操作軸５、駆動歯車６、第１及び第２のスイッチ７ａ，７ｂ、第１及び第２の可変抵抗器９ａ，９ｂ、中立軸１２、規制板１３及び捩じりばね１４とがユニットとなり、ハウジング３の外で組立てられる。そして、このユニットが一方の半体３ａ内に挿入され、４本のボルト１１によって第１支持板４１が半体３ａに固定され、この半体３ａと他方の半体３ｂとの間に索状体１の一端部及びフック１ａの基端部を挟み、２つの半体３ａ，３ｂを結合することにより、操作具Ａが索状体１によって垂下される。また、スイッチ７ａ，７ｂ及び可変抵抗器９ａ，９ｂに接続されたリード線１５は索状体１の回りに巻回された状態でモータ２３の駆動回路に接続される。
【００２７】
電動巻上機が荷揚げ等の作業を行わない場合、図４のように操作具Ａの操作軸５は捩じりばね１４によって中立位置に停止している。即ち、捩じりばね１４の非巻回部１４ｂ，１４ｃが規制板１３のばね受部１３ｂ，１３ｃ及び中立軸１２に当接し、規制板１３を介して操作軸５が中立位置に停止している。また、第１及び第２のスイッチ７ａ，７ｂは可動部７１が第１及び第２のカム６２，６３に係合しており、可変抵抗器９ａ，９ｂは指針が表示目盛のほぼ中央となる位置で停止している。
【００２８】
図８は操作具の動作状態を示す一部を省略した側面図である。
荷揚げ等の作業を行うべくモータ２３を正回転させる場合、中立位置の操作軸５を例えば右回転させることにより、駆動歯車６が正回転し、第１のスイッチ７ａの可動部７１が第１のカム６２を乗り越え、第１のスイッチ７ａがオンし、駆動回路を経てモータ２３が起動される。操作軸５の操作量の増加に伴って第１の可変抵抗器９ａでの抵抗値が増加し、モータ２３の回転速度が増速され、無段変速することができる。この際、操作軸５の回転が規制板１３の一方のばね受部１３ｂを介して一方の非巻回部１４ｂに加わり、該非巻回部１４ｂを介して巻回部１４ａが縮径され、この巻回部１４ａの弾性復元力が規制板１３を介して操作軸５に加わることになり、また、操作軸５が最大操作量になったとき、規制孔１３ａの一端が中立軸１２に当接し、操作軸５の回転が規制される。
そして、荷揚げ等の作業を行った後、操作軸５に加える力をなくすることにより、規制板１３を介して操作軸５に加わる捩じりばね１４の弾性復元力によって操作軸５が中立位置へ復帰する。
【００２９】
荷下げ等の作業を行うべくモータ２３を逆回転させる場合、中立位置の操作軸５を例えば左回転させることにより、駆動歯車６が逆回転し、第２のスイッチ７ｂの可動部７１が第２のカム６３を乗り越え、第２のスイッチ７ｂがオンし、駆動回路を経てモータ２３が起動される。操作軸５の操作量の増加に伴って第２の可変抵抗器９ｂでの抵抗値が増加し、モータ２３の回転速度が増速され、無段変速することができる。この際、操作軸５の回転が規制板１３の他方のばね受部１３ｃを介して他方の非巻回部１４ｃに加わり、該非巻回部１４ｃを介して巻回部１４ａが縮径され、この巻回部１４ａの弾性復元力が規制板１３を介して操作軸５に加わることになり、また、操作軸５が最大操作量になったとき、規制孔１３ａの他端が中立軸１２に当接し、操作軸５の回転が規制される。
そして、荷下げ等の作業を行った後、操作軸５に加える力をなくすることにより、規制板１３を介して操作軸５に加わる捩じりばね１４の弾性復元力によって操作軸５が中立位置へ復帰する。
【００３０】
以上のように本発明の操作具Ａは、周面の一部に歯部６１及び該歯部６１と周方向に離間する第１及び第２のカム６２，６３を有する駆動歯車６を備え、第１及び第２のスイッチ７ａ，７ｂは第１及び第２のカム６２，６３に係合する可動部７１を有し、第１及び第２の可変抵抗器９ａ，９ｂは前記歯部６１に噛合する従動歯車８，８を介して回転する回転部９１を有し、第１及び第２のスイッチ７ａ，７ｂ及び各従動歯車８，８は前記駆動歯車６の回りに周方向に離間して配置してあるため、操作具Ａにおける操作軸５の軸長方向長さをより一層短くすることができる。
【００３１】
また、第１及び第２の可変抵抗器９ａ，９ｂとして回転形のポテンショメータを用いるため、操作軸５が中立時における第１の可変抵抗器９ａの抵抗値と、第２の可変抵抗器９ｂの抵抗値とを任意に設定することができ、モータの正回転速度／逆回転速度を変えることができる。
【００３２】
実施の形態２
図９は操作具の実施の形態２の構成を示す一部を省略した側面図である。
この実施の形態２の操作具Ａは、実施の形態１の駆動歯車６に代えて、その周面に第１及び第２のカム６２，６３と、２つの第３のカム６４，６４とを有する回転部材６ａを用い、さらに、実施の形態１の可変抵抗器９ａ，９ｂに代えてモータ２３の速度制御回路に接続されるリミットスイッチからなる２つの第３のスイッチ７ｃ，７ｃを用い、モータ２３の回転速度を２段変速することができるようにしたものである。
【００３３】
実施の形態２において、回転部材６ａは周面に周方向へ離間する第１及び第２のカム６２，６３と、２つの第３のカム６４，６４とを有する１枚の板からなり、操作軸５の途中に嵌合固定されている。第１及び第２のカム６２，６３は実施の形態１と等しくしてあり、２つの第３のカム６４，６４は第１及び第２のカム６２，６３に対して周方向へ離間した位置に設けられている。また、第１及び第２のカム６２，６３は回転部材６ａの回転中心からの寸法が小さい第１円弧面６０ａの両端と、前記回転中心からの寸法が大きい２つの第２円弧面６０ｂ，６０ｂの一端との間に設けられている。２つの第３のカム６４，６４は前記第２円弧面６０ｂ，６０ｂの一端と、前記回転中心からの寸法がさらに大きい第３円弧面６０ｃの両端との間に設けられている。第１及び第２のカム６２，６３には前記第１及び第２のスイッチ７ａ，７ｂの可動部が係合している。
【００３４】
２つの第３のスイッチ７ｃ，７ｃは、２つの第３のカム６４，６４に対して周方向へ離間した位置で可動部７１が第３のカム６４，６４と向き合うように配置され、操作軸５の回転操作で第１又は第２のスイッチ７ａ，７ｂがオンした後、一方の第３のカム６４又は他方の第３のカム６４が、一方の第３のスイッチ７ｃの可動部７１又は他方の第３のスイッチ７ｃの可動部７１に係合するようにしてある。また、第１乃至第３のスイッチ７ａ，７ｂ，７ｃ，７ｃは回転部材６ａの回りで第１支持板４１と第２支持板４４との間に配置され、第１支持板４１に取付けられている。
【００３５】
実施の形態２にあっては、荷揚げ等の作業を行うべくモータ２３を正回転させる場合、中立位置の操作軸５を例えば右回転させることにより、回転部材６ａが正回転し、第１のスイッチ７ａの可動部７１が第１のカム６２を乗り越え、第１のスイッチ７ａがオンし、駆動回路を経てモータ２３が起動される。操作軸５の操作量の増加に伴って一方の第３のスイッチ７ｃの可動部７１が一方の第３のカム６４を乗り越え、一方の第３のスイッチ７ｃがオンし、モータ２３の回転速度が増速され、２段変速することができる。
【００３６】
荷下げ等の作業を行うべくモータ２３を逆回転させる場合、中立位置の操作軸５を例えば左回転させることにより、回転部材６ａが逆回転し、第２のスイッチ７ｂの可動部７１が第２のカム６３を乗り越え、第２のスイッチ７ｂがオンし、駆動回路を経てモータ２３が起動される。操作軸５の操作量の増加に伴って他方の第３のスイッチ７ｃの可動部７１が他方のカム６４を乗り越え、他方のスイッチ７ｃがオンし、モータ２３の回転速度が増速され、２段変速することができる。
【００３７】
その他の構成及び作用は実施の形態１と同じであるため、同様の部品については同じ符号を付し、その詳細な説明及び作用効果の説明を省略する。
尚、実施の形態２では２つの第３のカム６４を有する回転部材６ａと、２つの第３のスイッチ７ｃ，７ｃを用いたが、その他、第３のカム６４及び第３のスイッチ７ｃを１つとし，モータ２３を正回転させる場合、又は、モータ２３を逆回転させる場合にモータ２３の回転速度を２段変速することができるようにしてもよい。
【００３８】
実施の形態３
図１０は操作具の実施の形態３の構成を示す一部を省略した側面図である。
この実施の形態３の操作具Ａは、実施の形態２の２つの第３のスイッチ７ｃ，７ｃをなくし、モータ２３の回転速度を１段変速することができるようにしたものである。
【００３９】
実施の形態３にあっては、実施の形態２の第３のスイッチ７ｃ，７ｃを取外すことにより構成することができる。
また、荷揚げ等の作業を行うべくモータ２３を正回転させる場合、中立位置の操作軸５を例えば右回転させることにより、回転部材６ａが正回転し、第１のスイッチ７ａの可動部７１が第１のカム６２を乗り越え、第１のスイッチ７ａがオンし、駆動回路を経てモータ２３が起動され、一定の回転速度となる。
【００４０】
荷下げ等の作業を行うべくモータ２３を逆回転させる場合、中立位置の操作軸５を例えば左回転させることにより、回転部材６ａが逆回転し、第２のスイッチ７ｂの可動部７１が第２のカム６３を乗り越え、第２のスイッチ７ｂがオンし、駆動回路を経てモータ２３が起動され、一定の回転速度となる。
その他の構成及び作用は実施の形態１、２と同じであるため、同様の部品については同じ符号を付し、その詳細な説明及び作用効果の説明を省略する。
【００４１】
尚、以上説明した実施の形態では、索状体１が垂下部材を兼ねる構成としたが、その他、ロードシーブ（回転体）に掛設される前記索状体と離間した位置で巻上機本体２から垂下される垂下部材に操作具Ａを支持する構成としてもよい。
また、以上説明した実施の形態では、操作軸５の一端側をグリップ形状の操作部とし、この操作部を片手で把持して回転操作が行えるようにしたが、その他、操作軸５の一端側を指で摘むことができる形状の操作部とし、前記ハウジング３の一側に把持部を突設し、該把持部を把持した手の指で前記操作部を摘み、操作軸５の回転操作が行えるようにしてもよい。
また、前記索状体１はロードチェンである他、ベルトであってもよい。
【００４２】
【発明の効果】
以上詳述したように第１発明及び第４発明によれば、操作軸と連動し、その周面の一部に歯部及び該歯部と周方向に離間するカムを有する駆動歯車を備えるため、操作軸の軸長方向長さを短くすることができ、操作具の全体を小形にできる。
【００４３】
第２発明によれば、操作軸と連動し、その周面の一部に歯部及び該歯部と周方向に離間する第１及び第２のカムを有する駆動歯車を備え、各カムに係合するスイッチ及び歯部に噛合する従動歯車を駆動歯車の回りに周方向に離間して配置してあるため、操作軸の軸長方向長さをより一層短くすることができ、操作具の全体をより一層小形にできる。
【００４４】
第３発明によれば、操作軸に連動し、その周面に周方向へ離間して第１及び第２のスイッチに係合する第１及び第２のカムと、第１及び第２のカムに対して周方向へ離間する第３のカムとを有する回転部材を備えており、前記第３のカムと回転部材の周方向へ離間し、第３のカムとの係合によりオンする第３のスイッチを備えるため、操作軸の軸長方向長さを短くすることができ、操作具の全体を小形にできるとともに、モータを２段変速することができる。
【図面の簡単な説明】
【図１】本発明に係る電動巻上機の構成を示す正面図である。
【図２】本発明に係る電動巻上機の操作具部分の構成を示す断面図である。
【図３】本発明に係る電動巻上機の操作具部分の構成を示す一部を省略した側面図である。
【図４】本発明に係る操作具の実施の形態１の構成を示す一部を省略した側面図である。
【図５】本発明に係る操作具の構成を示す一部を切欠いた側面図である。
【図６】本発明に係る操作具の構成を示す一部を省略した平面図である。
【図７】本発明に係る操作具の構成を示す一部を省略した正面図である。
【図８】本発明に係る操作具の動作状態を示す一部を省略した側面図である。
【図９】本発明に係る操作具の実施の形態２の構成を示す一部を省略した側面図である。
【図１０】本発明に係る操作具の実施の形態３の構成を示す一部を省略した側面図である。
【図１１】従来の操作具の構成を示す断面図である。
【符号の説明】
１　　索状体（垂下部材）
２　　巻上機本体
２３　モータ
Ａ　　操作具
４　　支持体
５　　操作軸
６　　駆動歯車
６ａ　回転部材
６１　歯部
６２　第１のカム
６３　第２のカム
６４　第３のカム
７ａ　第１のスイッチ
７ｂ　第２のスイッチ
７ｃ　第３のスイッチ
８　　従動歯車
９ａ　第１の可変抵抗器
９ｂ　第２の可変抵抗器
９１　回転部
【図１】
2004043062.tif 000003
【図２】
2004043062.tif 000004
【図３】
2004043062.tif 000005
【図４】
2004043062.tif 000006
【図５】
2004043062.tif 000007
【図６】
2004043062.tif 000008
【図７】
2004043062.tif 000009
【図８】
2004043062.tif 000010
【図９】
2004043062.tif 000011
【図１０】
2004043062.tif 000012
【図１１】
2004043062.tif 000013